(57)【特許請求の範囲】
【請求項１】
引込自在の光源ランプを備え、プラテンスキャンとシート供給スキャンとを併用するスキャナであって、
シート供給スキャンユニットと、
前記シート供給スキャンユニット側にあるシート供給メカニズムと、
前記シート供給メカニズムを通過して供給される文書の第１面を撮像する第１カメラと、
前記文書の第２面を撮像する第２カメラと、
前記シート供給スキャンユニット側に着脱自在にドッキングするプラテンユニットと、
前記シート供給スキャンユニット側から前記プラテンユニット側に前記第２カメラを移動するメカニズムと、
前記第２カメラに関連して設けられ、前記第２カメラに対して引込自在に装備されるランプと、
を備えることを特徴とするプラテンスキャンとシート供給スキャンとを併用するスキャナ。
【請求項２】
請求項１に記載のプラテンスキャンとシート供給スキャンとを併用するスキャナにおいて、
前記シート供給スキャンユニット側に設けられた一連のローラの間にあり、かつ、前記第２カメラのアパーチャに近接しているペーパーパスが、略直線状であることを特徴とするプラテンスキャンとシート供給スキャンとを併用するスキャナ。
【請求項３】
請求項１に記載のプラテンスキャンとシート供給スキャンとを併用するスキャナにおいて、前記ランプが、前記第２カメラに旋回自在に装備されていることを特徴とするプラテンスキャンとシート供給スキャンとを併用するスキャナ。
【請求項４】
請求項３に記載のプラテンスキャンとシート供給スキャンとを併用するスキャナにおいて、前記ランプに取り付けられたアームが、カムとカム従節との連係で動かされることを特徴とするプラテンスキャンとシート供給スキャンとを併用するスキャナ。
【請求項５】
請求項３に記載のプラテンスキャンとシート供給スキャンとを併用するスキャナにおいて、前記ランプが、前記第２カメラにバネ荷重で位置決めされていることを特徴とするプラテンスキャンとシート供給スキャンとを併用するスキャナ。
【発明の詳細な説明】
【０００１】
【発明の属する技術分野】
本発明は、一般にモジュール型文書スキャンシステムに関し、特に文書についてプラテンスキャンとシート供給スキャンとをサポートするモジュール型文書スキャナあるいはコンビネーションスキャナに関する。
【０００２】
【従来の技術】
文書スキャナは、ホームおよびオフィス双方でコンピュータ関連機器として広く用いられるようになってきている。文書スキャナ（あるいは単にスキャナと呼ばれる）には、３つの明確に区別される方式がある。シート供給スキャナと、プラテンスキャナと、シート供給スキャンとプラテンスキャン機能とを備えるコンビネーションスキャナである。
【０００３】
シート供給スキャナについては、イメージ形成サブシステム、例えば、普通、電荷結合素子（Ｃｈａｒｇｅｄ  Ｃｏｕｐｌｅ  Ｄｅｖｉｃｅ：ＣＣＤ）とレンズとを備えるカメラを照明光源と組み合わせたサブシステムが、固定位置にあるカメラの前をシートが移動することによりイメージを走査（スキャン）する。個々のラスタラインがカメラで撮像され、個々が一緒になってオリジナル文書の２次元（２Ｄ）イメージ表示が生成される。基本的にカメラは、文書がレンズを横切るときに、その文書の縦割りの１つを何度も見ている。紙の動きにより、文書イメージの１次元方向が与えられ、カメラにより幅が与えられる。内部の紙の移動方向と文書の幅は、光学系の倍率と、イメージ形成サブシステム内のＣＣＤ寸法とによって決定される。
【０００４】
いくつかの例では、シート供給スキャナにおける紙送り経路（ペーパーパス）の形状は半円形である。例えば、ある種のスキャナは、半円形形状のペーパーパスを備え、上部からトレイよりシートを供給し下部へ排出し、あるいはその逆を行っている。他の例では、ペーパーパスは真っ直ぐな経路である。
【０００５】
プラテンスキャナでは、文書は、スキャンユニットの平坦ガラス表面固定台に下向きに設置され、イメージ形成サブシステム（カメラと照明光源）が、固定された文書の下を移動し、スキャン操作を行う。このケースでは、カメラの移動により、スキャンされたイメージの長さが与えられ、一方、カメラの光学系により、幅が与えられる。
【０００６】
コンビネーションスキャナとしても知られるプロダクションスキャナは、速度、機能、コストが多岐にわたり、大量の文書をスキャンするビジネスに多く用いられる。例えば、単位ジョブ当たり数百から数十万ページのスキャン操作が行われるのが、「プロダクション」スキャナには典型的である。プロダクションスキャナの一つのタイプは、シート供給スキャナの機能にプラテンスキャナの機能が組み合わされる。コンビネーションプロダクションスキャナでは、多くの枚数のシートが給紙スタックから供給され、固定カメラの前に流される。したがって、給紙に際し蓋を持ち上げ、いちいち文書シートを下向きに設置する必要がない。プラテンスキャン機能は、給紙スタックから信頼性をもって給紙されない文書を扱うときに用いられる。このタイプのプロダクションスキャナは、プラテンスキャン機能とシート供給スキャン機能とを兼ね備える単一機として製造される。
【０００７】
通常の構成の一つでは、デュアルカメライメージ形成サブシステムが、両カメラの間に延びるペーパーパスとともに用いられ、スキャナは二つの相異なるスキャンモードの操作をとることができる。シート供給モードまたはストレートスルースキャンモードでは、文書は給紙スタックからカメラの間を通って供給され、同じスキャン操作の際にシートの表面と裏面の両面についてのイメージ形成が行れる。プラテンスキャンモードでは、一方のカメラにプラテンスキャナの機能を模擬的に持たせることができる。これは、一方のカメラの近くにプラテンエレメントを設置し、プラテン上に固定して置かれる文書の下をその一方のカメラが移動することによって行われる。このように、「固定」カメラの一方をプラテン画像形成サブシステムの一部の「移動カメラ」として用いるのである。このようなコンビネーションプロダクションスキャナは、自動給紙可能のプラテンスキャナとして多く知られている。このクラスのスキャンユニットは、パーキング位置において文書が移動する自動給紙のためのシート供給スキャンが行われ、移動操作において固定文書に対してプラテンスキャンが行われるカメラを用い、短いペーパーパスを実現している。
【０００８】
従来技術のシート供給スキャナ、プラテンスキャナ、またはコンビネーションスキャナは、それぞれある程度の制約がある。主にシート供給スキャナが必要であるが、時にはプラテンスキャナの機能が必要な顧客は、コンビネーション装置か、あるいは相異なるスキャナを二台、すなわち、一台はシート供給スキャナ、他の一台はプラテンスキャナを購入しなければならない。双方のタイプのスキャン装置を各々購入することは、コストが高いので躊躇することもあるし、断念しなければならないかも知れない。いずれのケースでも、可搬性が望まれる用途には実際的ではない。例えば、サービス会社あるいはサービス部は、スキャナ本体と付属のホストコンピュータとを仕事の現場に輸送するためのピックアップ性を要求する。仕事が終わったら、スキャナとコンピュータをサービス会社やサービス部の本部に戻し、あるいは次の仕事の現場に転送しなければならない。したがって、サービスとして文書をスキャンするためスキャナを購入する人々にとって、可搬性および再構成して複合スキャン機能を行うことができる能力が極めて重要である。
【０００９】
従来技術のスキャナに係わる他の制約は、プラテン機能とシート供給機能とを単一機に兼ね備えるコンビネーションプロダクションスキャナに関してはコストが比較的高く、かつ、設置面積が大きいということである。すなわち、机の上に相当な場所をとるということである。設置面積が大きいので、製造コストも単一機能のスキャン装置に比べて高い。
【００１０】
普通、そのようなコンビネーションプロダクションスキャナは、単一のサイズまたはスタイルの文書をスキャンするのに好適な一機種として、多くの機種が提供される。例えば、コンビネーションスキャナとして、プラテン機能が約２１×２８ｃｍ（８．５×１１インチ）文書または欧州サイズ文書（Ａ−４サイズとしても知られる）を取り扱える機種や、約２８×４３ｃｍ（１１×１７インチ）文書（Ａ−３サイズとしても知られる）を取り扱える機種がある。したがって、従来技術のコンビネーションプロダクションスキャナは、顧客がスキャンしたいと望む文書サイズをスキャンする構成にはなっていない恐れがある。比較的小さな設置面積を有する装置で多種多様なペーパー寸法を取り扱うことができ、しかもプラテンスキャナ機能とシート供給スキャナ機能と組み合わせて備える比較的低コストのスキャン装置が実現できれば、多くの利点が得られる。
【００１１】
底部からシートを供給するコンビネーションスキャナに関する問題点の一つは、ペーパーパスが可成鋭敏な角度を有する曲がり部を含むことである。図１は、従来技術に用いられる典型的なペーパーパスと、カメラと、プラテンとの配置を示す。固定されている（シート供給）スキャニングアパーチャの上流側に設置されているペーパーパスの駆動ローラ１３及びアイドルローラ１４の下側で、下部カメラ２４とその照明光源とを左右に移動させる空間を与えるためにペーパーパス６２に曲がり部が必要となる。これは、ＣＣＤを備える下部カメラ２４を、図１の右側のプラテン撮像部側に移動させ、シートを固定し、イメージを生成するために下部のカメラ２４をシートの下側に移動させるときに起こる。
【００１２】
通常、照明光源は（シート供給）スキャニングアパーチャの平面に極めて近接して配置しなければならない。これは、照明光源、またはランプから撮像されるシートに至るまでの距離を最小限に抑えることによって、カメラが受光する反射光の量を最適化するために行われる。カメラとしては、固定（シート供給）位置においても移動（プラテンスキャン位置）においても、同じ合焦位置になければならないので、このことは、文書がカメラの傍を通過する平面とプラテンガラスの平面とが同一平面であることを意味する。スキャナのシート供給部からシートを送り込むのには、ある程度の大きさの直径、通常約１．７〜２．５ｃｍの程度のローラが用いられる。このことから、シートの入口ポイントは、プラテン平面及び固定アパーチャ平面の上方で、このローラ直径より大きな距離分だけ離れていなければならない。
【００１３】
従来技術では、ペーパーパスを、入口ポイントから固定アパーチャ平面の方向に下向きに曲げ、次にアパーチャ平面に達する直前にシートを強制的に鋭く曲げることで、このことを達成している。このように、ペーパーパスに角度を付けて上下方向の変化を付けることにより、照明光源とイメージ形成装置（カメラ）とをこれらローラの下に移動させ、プラテンガラスの下方に出るのに十分な空間を得ることができる。通常、プラテン機能のためのカメラは、その定常位置とプラテン機能のための位置の双方に対して位置決めするロッドに沿って移動し、照明光源はプラテンガラスのアパーチャ平面をきれいに走査する。
【００１４】
【発明が解決しようとする課題】
ペーパーパスに生じるこの鋭敏な曲がり部があると、信頼性をもって供給し得るシートの厚さと剛さの範囲が狭まることになる。曲がり部があると、イメージにアーチファクトも生ずる恐れもある。非常に剛いあるいは非常に厚いシートに対しては、この曲がりが鋭敏すぎると、シートを損傷したり、引掛けたり、高すぎる引張り力で機械を止めたりすることがあり得る。イメージのアーチファクトは、鋭敏な曲がり部によって引き起こされるシート変形の結果としても生じ得る。さらに、シートが曲がりの遷移部分を通過するときに見られる一時的速度変化に基づいて起こる動きの不整も、イメージのアーチファクトとして現れ得る。したがって、望ましいことは、シート供給スキャン操作の際に、シート供給部分のペーパーパスが鋭い曲がり部を有しない、コンビネーションスキャナを提供することである。
【００１５】
【課題を解決するための手段】
特に、本発明は、シート供給スキャン用のユニットに着脱自在のプラテンエレメントを備えるモジュール型文書スキャンシステムあるいはコンビネーションスキャンシステムに関する。
【００１６】
本発明は、着脱自在プラテンユニットを備えるモジュラー型スキャナであって、引込自在の光源を用いて、現行技術のシート供給スキャンとプラテンスキャンとをコンビネーションしたスキャナに見出されるペーパーパスに比較して実質的に平坦度の高いペーパーパスを備えることを特徴とする改良されたペーパーパス構造を備えるモジュラー型スキャナを提供する。改良されたペーパーパスは、照明光源を引込自在に構成することによって、急激に変化するペーパーパスでなく、より直線的なパスを形成して、達成される。
【００１７】
簡単に言えば、本発明の態様の一つに基づくと、引込自在のランプを備えることを特徴とするプラテンスキャンとシート供給スキャン併用のコンビネーションスキャナが提供される。引込自在のランプは、シート供給スキャンユニットの一部である。シート供給メカニズムはシート供給スキャンユニット側にある。第１カメラにより、シート供給メカニズムを通過して供給される文書の第１面が撮像される。第２カメラにより、文書の第２面が撮像される。プラテンユニットがシート供給スキャンユニット側に着脱自在に取り付けられる。あるメカニズムにより、第２カメラがシート供給スキャンユニット側からプラテンスキャン側に移動される。ランプが第２カメラに関連して設けられる。このランプは、第２カメラに対して引込自在に取り付けられる。
【００１８】
実施の形態の一つでは、シート供給スキャンユニット、すなわち基本となるスキャンユニットは、文書のスタックを受容する給紙トレイと、前記文書を供給する供給メカニズムと、前記文書を移送するために設けられた駆動ローラとアイドルローラとを有するペーパーパスと、前記文書の上面または背面を撮像するために設けられた上部カメラと上部照明光源と、給紙トレイから面を下向きにして供給される文書の下面または前面を撮像するために設けられた下部カメラとを備える。シート供給スキャンユニットの諸エレメントはそのハウジング、すなわちベースユニット内に組み込まれる。シート供給スキャンユニットのベースユニットは開口部を備え、この開口部により、前記下部カメラと照明光源をプラテンスキャンモードにおける撮像デバイスとして用いることが可能となる。この際、このプラテンスキャン機能を達成するプラテンユニットが前記開口部に装着、またはドッキング（合体接続）される。
【００１９】
本発明により、実質的に平坦または直線的に配置されたペーパーパスが構成される。このことが達成可能となるのは、照明光源がシート供給イメージ形成向けの固定位置からプラテンスキャン向けの移動状態に移るときに、ペーパーパスローラの下側に照明光源を引込み得るようにカメラに取り付けることにある。
【００２０】
【発明の実施の形態】
本発明を一層理解するには、添付の図面に関連して、以下の詳細な説明を参照されたい。以下の詳細な説明における数字または符号は、特記なき限り、図面における同様の要素または部品に付される符号に対応する。
【００２１】
実施の形態の一つにおいて、本発明に係るモジュール型スキャナは、シート供給スキャンユニットと着脱自在のプラテンユニットとを備えるコンビネーションスキャナである。図２〜５は、シート供給スキャンユニット１と、着脱自在のプラテンユニット２との斜視図を示す。図３と図４は、取り外された状態のプラテンユニット２を示す。
【００２２】
本発明に係るモジュール型スキャナは、着脱自在のプラテンユニット２を備え、単一シートまたは複数枚の文書のスキャンに対応するモジュール型スキャナまたはスキャンシステムを提供する。本発明を用いると、文書のスキャン操作をシート供給スキャンとプラテンスキャンの両方式で行うことが可能である。シート供給スキャンユニット１は、給紙トレイ３から排紙トレイにシートをストレートスルーに供給移送し、シートの移動の間にイメージのスキャンを行うシート供給スキャナの機能を有するユニットである。プラテンユニット２は、シート供給スキャンユニット１に装着、またはドッキングされる。シート供給スキャンユニット１は、プラテンスキャンに必要なメカニズムの一部分を含む。
【００２３】
図５には、着脱自在のプラテンユニット２が、シート供給スキャンユニット１に取り付けられた全体図が示されている。プラテンユニット２には、蓋４９が設けられている。この図の例では蓋４９は下向きの位置に示されており、プラテンスキャンの際には、蓋４９を持ち上げ、蓋４９の下に設けられるプラテンガラス面に文書を置き、蓋４９を閉じてスキャンを行う。このアプローチは、スキャン装置技術分野に広く認められているものである。
【００２４】
図６には、本発明に係るモジュール型スキャナの断面図、特にシート供給スキャンユニット１における紙送り経路であるペーパーパスと、その両側に配置される上部カメラ２３及び下部カメラ２４の様子を示す図である。図６に示されるように、給紙トレイ３から排紙トレイ４に至るペーパーパスは、例えば図１で説明した従来技術のペーパーパス６２に比べ、実質的に平坦な直線配置の構成となっている。とともに、後述するように、下部照明光源または下部ランプ２２は、下部カメラ２４に対して引込自在に装備される。この引込自在の取り付け構成により、下部ランプ２２がシート移送用の駆動ローラ１３を避けて移動することが可能となり、同時にプラテンスキャン機能を果たすのに必要な動きが得られるのである。以下にこれらの詳細構成を説明する。
【００２５】
図７，８にペーパーパス１１，１２周辺の詳細を示す。シート供給スキャンユニット１では、シートは、オートフィーダメカニズム５を用いてペーパーパス１１，１２に供給される。図８は、オートフィーダメカニズム５付近の拡大図である。オートフィーダメカニズム５は、給紙トレイ３、誘導または引込ローラ１０、圧力ローラ６、供給ローラ９、前分離パッド７および分離ローラ８を備える。シートの供給が指示されると、オートフィーダメカニズム５は、給紙トレイ３に積載されているシートのスタックからスキャナペーパーパスにシートを送り進める。誘導または引込ローラ１０，分離ローラ８，および前分離パッド７の機能は、摩擦方式供給装置の技術分野内に通常見出されるもので、これらの作用により、意図するシートのみを特別に送り進め、移送してイメージ形成を行い、意図しないシートは進まないように止め、あるいは遅らせるようにする。給紙トレイ３は、スタックサポートまたはインプットトレイあるいは入口トレイとも呼ばれる。
【００２６】
ペーパーパス１１，１２は、上部部分のペーパーパス１１及び下部部分のペーパーパス１２から構成される。下部部分のペーパーパス１２は、シートを移動する駆動ローラ１３を備える。上部部分のペーパーパス１１には、駆動ローラ１３に対して必要な接触圧力を加えるアイドルローラ１４が設けられる。アイドルローラ１４は、押付ローラまたはノルマルローラとも呼ばれる。一方、駆動ローラ１３は、一連のタイミングベルト１５で駆動される。タイミングベルト１５は、図７に示されるように、プーリーを介して駆動モータ１６に接続される。
【００２７】
上部部分および下部部分のペーパーパス１１，１２には、それぞれ上部および下部透明アパーチャ域またはガラス窓１７，１８が設けられている。上部部分のペーパーパス１１は、実質的に平坦なペーパーパス部分と支持フレーム構造とから成り、支持フレーム構造は、ペーパーパス部分にネジ留めされている。この上部部分のペーパーパス１１は、回転自在に下部部分のペーパーパス１２に搭載される。一方、下部部分のペーパーパス１２は、シート供給スキャンユニットのベースユニットに取り付けられている。
【００２８】
上部部分のペーパーパス１１のアイドルローラ１４と、下部部分のペーパーパス１２の駆動ローラ１３とが整合状態で接触することによって、両ローラ間にニップラインが形成され、両ローラ間に供給されるシートに対して駆動力が生じる。支持フレーム５９を用いて、上部部分のペーパーパス１１を回転自在に押し下げてラッチ機構で固定すると、アイドルローラ１４は、駆動ローラ１３に対してアイドルローラ板バネ１９のバネ負荷でもって押付けられる。その様子は、図９と図１０に示される。
【００２９】
上部部分のペーパーパス１１には、上部照明光源である上部ランプ２１と上部カメラ２３とが搭載される。その様子を図１１，１２に示す。シートがペーパーパス１１，１２を通って移動するにつれ、ガラス窓１７を通り、シート上面のイメージが上部ランプ２１からのシート反射光により形成される。次いで反射光は、一連の反射ミラー２７で光路が変更され、レンズ２６を通過し、ＣＣＤ撮像デバイス２５上に合焦される。カメラハウジング２８は、上部カメラ２３を構成する一連の反射ミラー２７、レンズ２６、ＣＣＤ撮像デバイス２５及びＣＣＤ回路ボードを収める。また、上部ランプ２１を駆動する高電圧を発生させるインバータ３４もカメラハウジング２８に搭載される。
【００３０】
ＣＣＤの幅または（ピクセル数）により、イメージの１次元分が決定され、シートが移動してＣＣＤ出力が順次ラインとして得られると、２次元イメージのもう１つの次元分が形成される。このイメージ形成法は、照明光源とカメラとが固定位置にあって、シートがそれらの上を通過するようにされている多様なシート供給スキャナで普遍的に適用されている。次いでこれらのイメージは、接続されているコンピュータにスキャナから出力され、このコンピュータで記憶または処理が行われる。
【００３１】
本発明に係るモジュラー型スキャナにおいては、照明光源はキセノンガス蛍光ランプであるが、このアプローチは、発光ダイオード（Ｌｉｇｈｔ  Ｅｍｉｔｔｉｎｇ  Ｄｉｏｄｅ：ＬＥＤ）、水銀蛍光灯、ハロゲン灯のような好適な光源ならどんなものでも行い得る。本発明に係るモジュラー型スキャナにおいては、カメラは、ＣＣＤとレンズを備える縮小カメラで、４チャネル設計（赤、緑、青、黒）であるが、１チャネル設計でもあるいは他のどんな所望の部品構成でもよい。カラー撮像デバイスを製造するには、「白」色光源で多重チャネルＣＣＤを用いる方法の別法として、１チャネルＣＣＤを用い、照明光源を赤、緑、青と変えることによって行うことも可能である。ＣＣＤとレンズを備える縮小カメラ（撮像デバイス）は、コンタクトアレイまたは他の撮像デバイスで置き換えることも可能である。
【００３２】
図１３、図１４に示すように、ベースユニット３７内にはロッド３５が設けられ、このロッド３５に下部カメラ２４が取り付けられる。図６、図７及び図１１、１２における上部カメラ２３に関する説明と同じように、下部カメラ２４も、カメラハウジング２８と、反射光を折り曲げる一連の反射ミラー２７と、レンズ２６と、ＣＣＤ撮像デバイス２５と、ＣＣＤ撮像デバイス２５を駆動しＣＣＤのアナログ電圧をデジタル出力に変換するＣＣＤ回路ボードとから構成される。この下部カメラ２４により、シートの下面が下部部分のペーパーパス１２のガラス窓１８を通過するにつれて、シート下面のイメージが形成される。下部照明光源である下部ランプ２２は、上部配置の上部ランプ２１とは異なり、下部カメラ２４に対して軸支されて取り付けられる。これに対し、上部ランプ２１は、上部部分のペーパーパス１１に直接取り付けられている。下部ランプ２２用のインバータ３４はカメラハウジング２８に搭載される。この下部カメラ２４に下部ランプ２２が軸支されて取り付けられる構成の正確な機能は、後に詳述するが、シート供給スキャナのペーパーパスに対してこの機能が有するユニークな点は、従来技術のシート供給スキャナに典型的に見出されるペーパーパスに較べて格段に平坦なペーパーパスとすることが可能なことである。
【００３３】
また、図６に示すように、ベースユニットには、ペーパーパスから排出されるシートを受容する排紙トレイ４が設けられる。排紙トレイ４は、またはアウトプットトレイと称される。
【００３４】
単一シートに対するシート供給スキャンのプロセスを総括すると、始めにシート供給が指示され、シートがペーパーパスのガラス窓の箇所を通過し、シートの上面と下面との両面のイメージが形成され、排紙トレイに貯えられる。こうして文書のスタックに対し、スタックが空になるまでこのプロセスが繰り返される。
【００３５】
以下に、「プラテンアクセサリ」周辺と、この装置に「プラテンアクセサリ」をドッキングしてプラテンスキャン機能を達成するステップを説明する。シート供給スキャンユニット１には、ユーザが取り外しできるドアで覆われている開口部が備えられている。図１５は、このドア４０が付いている状態のシート供給スキャンユニット１を示し、図１６は、このドア４０が外されている状態を示す。着脱自在のプラテンユニットである「プラテンアクセサリ」を用いようとするとき、エンドユーザは、この「プラテンアクセサリ」をシート供給スキャンユニット１に嵌め合わせ、このシート供給スキャンユニット１の開口部から下部カメラを「プラテンアクセサリ」に移動させることができる。上記の図４と５は、着脱自在のプラテンユニット２が、シート供給スキャンユニット１にドッキングするとき及び装着された状態を示す図である。
【００３６】
着脱自在のプラテンユニット２をシート供給スキャンユニット１に結合するには、エンドユーザは先ずドア４０を取り外し、カメラのための開口部を露出しなければならない。開口部にプラテンユニットがドッキングされたとき、取り外されたドア４０の収容を容易にするため、図１７、図１８に示すように、プラテンユニット２のプラテンハウジング４２の一部分に収容箇所が設けられる。このようにすると、ドア４０の紛失防止に役立ち、ユーザが後刻プラテンユニット無しでモジュール型スキャナを再構成しようという場合は、このドアを容易に用いることができる。本発明では、プラテンユニットドッキング用の開口部を設けるに際し取り外し自在のドアを選択したけれども、これは、蝶番ドアや他のそのようなアプローチを採用しても容易に行い得る。
【００３７】
着脱自在のプラテンユニット２は、一端を開口部とする５個の側面からなるプラテンハウジングからなる。この開口部は、図１９〜図２１に示されるように、両ユニットがドッキング（装着または嵌合）されるとき、シート供給スキャンユニット１側の開口部と整合がとれるようになっている。ドッキングインターフェイスにおけるシート供給スキャンユニット１側の開口部の様子は、上記の図１３に示されている。なお、シート供給スキャンユニット側のベースユニット支持棚板３８に対応して、プラテンユニット側に支持棚板基準板３９が設けられる。
【００３８】
図２０と図２１は、プラテンユニットとその重要なエレメントの切断図を示している。プラテンスキャン駆動源である駆動モータ（ステップモータ）４３は、ドッキングインターフェイスに形成された電気コネクション５１を通して、ベースユニット、すなわち、シート供給スキャンユニットから電力の供給を受けるとともに、信号も受信する。駆動モータ４３は、プラテンスキャン用のタイミングベルト４４に接続されている。タイミングベルト４４は、プラテンハウジングの一端におけるモータプーリーと、他端におけるアイドルプーリー及び突出部材４６とで支持される。電力が駆動モータ４３に供給されると、タイミングベルト４４はどちらの方向にも移動し得る。タイミングベルト４４に取り付けられているのは、磁気カップリング４５である。
【００３９】
プラテンユニットのドッキングの際には、突出部材４６すなわちハウジングからの延長部分とタイミングベルト４４のその部分とが、シート供給スキャンユニット１の開口部に入り込む。すると、タイミングベルト４４に取り付けられた磁気カップリング４５が駆動モータ４３により駆動され、後述するように下部カメラハウジングに取り付けられたカメラ当たり板に突き当たり、下部カメラがタイミングベルトにカップリングされる。本発明では、磁気カップリングを選択してタイミングベルトとカメラハウジングとの接続を行うようにしたが、これは、他の機械的カップリング手段、例えば、スナップを用いても行い得る。更に、タイミングベルトに替わる手段、例えば、リードスクリューも、モータの回転動作をカメラの水平運動に変換するのに採用し得る。
【００４０】
プラテンハウジングには、プラテンスキャン機能のイメージ形成領域を提供するために、透明窓４８またはアパーチャが取り付けられる。透明窓４８は、プラテンハウジングの一部で枠取りされている。この枠取り部分はベゼルと称される。この透明窓とベゼルの頂部には、スキャンの際に文書をガラス面に押さえて平らにするのに用いられる軸支された蓋４９があり、所望のバックグランドカラー（普通は白または黒で、用途次第）を与える（図５参照）。
【００４１】
ドッキングするに当たって、エンドユーザは、このプラテンハウジングをベースユニット（シート供給スキャンユニット）の開口部側に向けてテーブルトップ表面に沿って平行に移動する。これは、プラテンアクセサリの寸法と重量（一般的には、長さ約５０ｃｍ、幅約３５ｃｍ、高さ約１０ｃｍで重さ約５ｋｇ）が与えられた場合、エンドユーザにとって理想的な動作であり、ラップトップコンピュータを接続するにも似た本能的な動作でもある。ドッキングインターフェイスを示す図１３（シート供給スキャンユニット１側）と図２１を対照して説明すると、プラテンハウジング４２に設けられた整合ピンが、シート供給スキャンユニットのベースユニット３７にある嵌合スロットまたは穴と整合する。本発明では、これらの整合機能部は、穴またはスロットと嵌り合う円形状のボスとダイヤモンド形状のボスとして選択されているが、適切に相互を制約して整合するものならばどんな組み合わせでも用い得る。
【００４２】
プラテンハウジング４２には長いロッド３６が取り付けられ、このロッド３６のプラテンハウジング開口部側に整合ピンが設けられる。一方、ベースユニット側にはロッド３５が設けられ、このロッド３５には穿孔があり、ここにプラテンハウジング側のロッド３６の先端におけるピンを受容することができる。プラテンハウジング側ロッド３６の先端のピンとベースユニット側ロッド３５の穿孔の寸法とテーパ形状は、両ユニット接続に当たって雄／雌結合が可能のように決められる。両ユニットのそれぞれの開口部側に設けられる整合機能部に関連しているこのロッド／ロッド嵌合構造により、両ユニットにプラテンスキャン機能のための適切な整合をもたらす。このロッド／ロッド結合部の詳細とともに、下部カメラ２４がこれらのロッドに沿ってどのように移動するかを示す図の幾つかが、図２２〜図２４に示されている。
【００４３】
駆動モータ４３に電力とともに信号も供給する電気コネクション５１は、プラテンハウジング４２に接続された雄／雌コネクタハーフと、シート供給スキャンユニット１のベースユニット３７に接続された雄／雌コネクタハーフとによって形成される。プラテンユニットが所定の位置に移動されると、雄型コネクタ内のピンが整合し、雌型コネクタハーフのソケットと嵌り合うことによって、駆動モータ４３を、シート供給スキャナ電子回路と連結されている電源と信号源とに接続する。駆動モータ４３に電力と信号を供給するのに加えて、この電気コネクション５１は、着脱自在プラテンユニット２があるかどうか、またはプラテンの寸法やタイプが複数ある場合は、装備されるプラテンアクセサリのタイプを感知するのにも用い得る。この電気コネクション５１の位置とスタイルは図２０、図２１に示される。
【００４４】
図２１に示すように、ラッチフック５２、戻りバネ、ラッチ解除レバー６０を備えるラッチ機構がプラテンハウジング４２の開口部の左右両側に設置される。プラテンハウジング４２がテーブルトップに沿って平行に動かされ、整合機能部が整合状態にされると、ラッチフック５２がベースユニット３７に入る。完全にドッキングされると、ラッチフック５２はラッチフック開口部に収まり、戻りバネの作用でベースユニットに強制的に引っ掛かる。これにより、エンドユーザのドッキングステップが完成する。別の実施の形態では、ラッチロックが採用され、ラッチフックに制約動作を更に加え、偶然に接続が外れてしまうことを防止するより頑丈な接続状態を形成する。エンドユーザはこれらのロックを、所定の位置に滑り込ませたり、回したりすることによって、ロック状態にする。一旦所定位置に納まると、ラッチフックがロックして、上には動かなくなるので、偶然に外れてしまうような確率はなくなる。図２１、図２５には、ラッチフック５２と、ラッチフックをベースユニットから外すのに用いられる２本のラッチ解除レバー６０のそれぞれが示される。また、図１３には、ラッチフックが受容され、嵌り込む長方形の開口部を備えるベースユニット３７が示される。
【００４５】
図２６は、下部カメラ２４（撮像デバイス）を底面側から見た図で、カメラハウジング２８に設けられている金属ブロックまたはカメラ当たり板４７に結合されている磁気カップリング４５の詳細が示されている。プラテンユニット側の駆動モータに電力が供給され、信号が送られると、駆動モータは、タイミングベルト４４を動かし、付属の磁気カップリング４５がカメラ当たり板４７に接触する方向に回転することによって、ドッキングの全ての側面が満足される。すなわち、プラテンユニットをベースユニットに整合すること、両ユニットをラッチすること、下部カメラをタイミングベルトにカップリングすること、駆動モータの電気接続を行うことが満足される。上記の図２４は、ドッキング操作が完了し、駆動モータに電源が接続された後に、下部カメラ２４をいずれの方向にも動かすのに用いられる直線動作を示す。
【００４６】
プラテンスキャンは以下のステップで行われる。すなわち、透明窓（プラテンスキャンのアパーチャ領域）に撮像すべき原稿シートを設置した後、ユーザは原稿シートをプラテンスキャンすることをモジュラー型スキャナに指示することができる。多くの場合、これは付属のコンピュータ経由で行われる。このコンピュータは業界では「ホストＰＣ」と称される。この指示はスキャナ自体に設置された制御パネルから行うことも可能である。指示が行われると、プラテンユニットの駆動モータが、ベースユニットの定常位置から下部カメラを取り出し、これを反対側のプラテンハウジングに引き出す方向に回転させる。
【００４７】
上記の図１３、図１４に示されるように、下部カメラ２４のハウジングは、カメラアセンブリを短いロッド３５に軸着させる「Ｃの字」形状のブッシュ２９を受容するように設計されている。一方、短いロッド３５は、シート供給スキャンユニット１のベースユニット３７に取り付けられている。ベースユニット支持棚板３８、つまりベースユニット３７の表面は、下部カメラ２４の反対側を支持し、ブッシュ２９と連係して機能し、カメラを完全に整合、保持する。ベースユニット３７はリブも備える。このリブにより、ベースユニット３７内の下部カメラ２４の定常位置であるパーキング位置、つまり撮像準備完了位置が決定される。
【００４８】
下部カメラのカメラハウジング上の２点に、成形されたジャーナルまたはボスが設けられる。これら２個のボスには、照明光源すなわちキセノンランプ等の下部ランプの相対する端部に取り付けられる引込アームがそれぞれ搭載される。ねじりバネもそれぞれのボスに取り付けられ、下部ランプとその引込アームとを２個のストッパに位置決めさせる付勢力を提供する。これらストッパもカメラハウジングの形状として成形されたものである。
【００４９】
２本の引込アームは、２個のボスの箇所で軸支され、引込アームのストッパに向かって位置決めされる。この停止位置は、シート供給スキャンおよびプラテンスキャンによる両方式イメージ形成が行われるときに、それぞれ下部ランプが保持される位置である。軸支回転動作により、下部ランプは、カメラハウジングに形成された開口部分に引き込むことができるので、下部ランプは、プラテンスキャンイメージ形成領域に移動する途中でシート供給スキャンユニットの上流側駆動ローラの下側に回り込むことが可能となる。
【００５０】
図２７〜２９に、下部ランプ２２、引込自在の引込アーム３１、軸支点であるボス、及びベースユニットの一部として形成され引込アーム３１のボス周りの軸支回転動作を定めるカム経路が示され、カメラハウジングが移動するにつれ、引込アーム３１と下部ランプ２２が回転する様子が示される。
【００５１】
図２７では、下部カメラがシート供給スキャンにおける定常位置にある状態の下部ランプ２２、引込アーム３１と、引込アーム３１の先端が接触するカム経路を示す。下部カメラがプラテンユニット側に移動を始めると、図２８に示すように、下部ランプ２２のカム従節（すなわち、引込アーム３１）は、カム表面に沿った接触を維持しつつ軸支点の周りに回転する。この結果、下部ランプ２２は、カメラハウジングに設置された２個のボスの周りに回転し、カメラハウジング内の開口部分に引き込まれる。このようにして、下部ランプ２２が、実質的に平坦なペーパーパスの駆動ローラ１３の下に回り込める空隙部が提供される。
【００５２】
さらに下部カメラが移動すると、図２９に示すように、プラテンユニット側において、カム表面の作用により、下部ランプ２２は、そのプラテンスキャン位置、つまりアップ位置に戻ることが可能となる。下部ランプ２２は２本のねじりバネでプラテンスキャン位置に保持される。ねじりバネの力により、下部ランプ２２の引込アーム３１は、図２６に示すように、カメラハウジング２８の壁にある位置決め部またはストッパ３３の箇所に押さえられる。位置決め部カム表面とカム従節との設計は、下部カメラが、プラテンハウジングの透明窓に達する前に、下部ランプがそのスキャン位置に戻るように行われる。
【００５３】
さらに、下部ランプ２２の動作としては、下部カメラが再びその定常位置、すなわち、シート供給スキャンユニットのシート供給スキャン位置に完全に戻ったとき、その最上端位置、すなわちストップ位置に戻る動作が可能となる。
【００５４】
下部カメラがプラテンハウジングの透明窓（いわゆるプラテン窓）の下を移動するにつれて、この下部カメラ２４の動作の結果としてイメージの１次元分が得られ、撮像部（ＣＣＤおよび縮小レンズ）の幅により、他の次元分が得られる。
【００５５】
下部カメラは、その移動により透明窓のリーディングエッジに到達する直前に、プラテンハウジングのベゼルの底面側に存在する特徴部を検出可能である。これらの特徴部は、ラベルを用いて付けることもできるし、ベゼル自体に刻み込むこともできるが、レジストレーションの目標として機能するものである。これら目標機能部を用いることにより、透明窓のエッジがＣＣＤにあるピクセル箇所に関して何処にあるのかについては勿論のこと、下部カメラが透明窓にどの程度近いかについて知ることが可能である。こうすることにより、下部カメラは、左端の「出発ライン」と最終端との双方のリファレンスを確立し得る。
【００５６】
下部カメラは、透明窓を移動するにつれて、出発ラインを通過した後ラスタラインを集積する。プラテンハウジングの反対側に達すると、下部カメラのアパーチャは、プラテンベゼルの端の下に入る。ここには、出発ラインと同様な別のレジストレーション目標が見出される。このレジストレーション目標、すなわち「終点ライン」により、スキャナのマシン制御部は、下部カメラがプラテンスキャンの動作をすべて終了したことを知り、プラテンユニットの駆動モータに対し、駆動を停止し、その後下部カメラを当初の出発位置に戻す指示が出される。
【００５７】
下部カメラ動作の重要な領域の一つは、ベースユニットの短いロッドとプラテンハウジングの長いロッドとの間のジャンクション領域である。このゾーンは「遷移ゾーン」と称される。下部カメラがこの遷移ゾーンを通過するとき、下部カメラは、ブッシュがテーパ状ジョイントを通過することで引き起こされる「ガタガタ」に反応する。この反応は、小さな振動または揺動という形で現れ、イメージ形成に影響を与える。遷移の厳しさの度合いは、下部カメラのブッシュの長さやブッシュ間のスパンとともに、２つのロッドが位置的に（中心−中心及び直径の一致性）角度的に（直線性）どのようによく整合しているかによって左右される。
【００５８】
コンポーネントの製造に基づく不完全さ（許容誤差）またはベースユニットとプラテンユニットと間のドッキング許容度の結果として生じるミスマッチを補償するためには、テーパ領域を十分に設けなければならない。これらのテーパは、拘束が起こる危険性がなく、可能な限り最も円滑な遷移を保証する最小限のレベルに保たれる。
【００５９】
このような乱れから引き起こされる恐れのあるイメージアーチファクトを避けるために、セトリング領域が採用される。このセトリングゾーンが対策として設けられるのは、後側のブッシュの移動する点について、プラテンユニット側のロッドが最大直径になる箇所から、透明窓が始まりイメージを安定して形成しなければならない点までである。
【００６０】
遷移ゾーンの位置、セトリングゾーンの長さ、テーパ結合部の幾何学形状を最適化することによって、カメラ乱れはイメージ形成の前に効果的に鎮静化することが可能である。この領域の機械的幾何学形状を工夫することに加えて、下部カメラがこの領域を通過する際のカメラ移動速度を最適化することも可能である。カメラがこのジョイント領域に接近し、通過する際にプラテンユニットの駆動モータの速度を遅くすることで、乱れのレベルを最小限に抑えることが可能になるので、長いセトリング領域を設ける必要性が減殺される。本発明では、これは、ステップモータがジョイント領域を通過するとき、駆動モータが、より遅いステップ速度となるようにして達成される。遷移に最も適した点を通過した後、駆動モータは、「Ｓ」字曲線プロファイルを用いてプラテンスキャン操作の所望速度まで加速される。「Ｓ」字曲線プロファイルは、この加速過程でカメラ本体に生じるガタ付きを最小限に抑えるのに重要であり、円滑な駆動モータの加速と減速に対しては「Ｓ」字曲線を用いることは、通常に慣行として行われている。
【００６１】
このドッキング自在プラテンユニットという概念で処置しなければならない不具合モードは潜在的に二つあるが、それらは以下の通りである。先ず、ハードウェア構成として、エンドユーザがベースユニットの開口部用ドアを取り外したとき、ベースユニットから下部カメラが偶然にも取り出されてしまうことがあってはならない。万一にも下部カメラが開口部から偶然に脱落してしまうことがあれば、下部カメラサブシステムに損傷もしくは汚染を惹起する危険性がある。更に、本発明では、ランプ電力用インバータが採用されるが、このインバータでは、入力電圧は１４ボルトＤＣであるが、これを必要な高電圧に昇圧してキセノンランプを作動させている。図１２に示したように、このインバータ３４は、下部カメラ２４のカメラハウジングに搭載され、内部はユーザがアクセスするには危険な高電圧である。
【００６２】
偶然または思いがけなくカメラが脱落しまう恐れを効果的に処置するには、プラテンアクセサリがドッキングされていない場合に何時でも下部カメラをしっかりロックして置く方法が必要である。図３０と図３１は、カメラロック５５と、ドアが外れている場合に下部カメラ２４を元の基準位置に戻すドアバネ４１とを示す。以下に記載の機能は、プラテンアセンブリが未ドッキング状態では下部カメラ２４が適切なホームポジションにあり、プラテンアクセサリがドッキング位置にあるときは下部カメラがプラテンスキャンを行うのに必要な動作を確実に行えるようにするものである。ベースユニット３７に取り付けられているのは、多数のラチェット歯を備えるカメラロック５５と称されるフレキシブル部材である。このカメラロック５５は、バネ荷重を上向き方向に掛けるように設計されている。下部カメラ２４のカメラハウジングの下側に成形されているのは、ロック用のラチェット歯と嵌合する幾つかの段差またはギザギザである。
【００６３】
更に、ベースユニット３７のドア４０には、ドアバネ４１と称するフレキシブル部材が取り付けられる。このフレキシブル部材は、下部カメラ２４をベースユニット３７の内部側へ押し戻し、そのレジストレーション基準位置またはストッパに押さえ付ける役目を果たす。上記のように、プラテンハウジングの突出部材は、タイミングベルトの一端に取り付けられているものであるが、図３１に示すように、突出部材４６の形状は、プラテンユニットがその完全ドッキングの位置に納まると、カメラロック５５を下側に強制的に押し、カメラロック５５が下部カメラ２４から外れるようなものとなっている。カメラロック５５の位置とプラテンユニットの突出部材４６の設計は、ドッキング動作の最後の部分、例えば約６．３〜１．２５ｍｍの範囲のところで、カメラロック５５が解除されるようにしてある。
【００６４】
プラテンユニットが外れたり、あるいはユーザがプラテンユニットを取り外したりすると、下部カメラ２４は、カメラハウジングにかかる磁気カップリングの引っ張り力に対応してベースユニット３７から外れるような動きを始める。プラテンユニットの突出部材４６が約６．３〜１．２５ｍｍ動くと、この突出部材４６からカメラロック５５が外れ、カメラロック５５が上向きにバネ荷重により跳ね上がり、下部カメラ２４の下側のギザギザに嵌るので、下部カメラ２４のそれ以上の動きが防止される。下部カメラ２４とベースユニット３７自体の設計は、約６．３〜１．２５ｍｍ）の遊びでは、下部カメラ２４が飛び出してエンドユーザに望ましくないアクセスリスクを及ぼしたり、カメラサブシステム信頼性に問題を起こしたり汚染の懸念を引き起こしたりはしないようになっている。
【００６５】
上記のように、着脱自在のプラテンユニットを取り外すと、エンドユーザは着脱自在ドア４０を元の箇所に戻す。このドア４０には、カメラ戻しのフレキシブル部材またはドアバネ４１が取り付けられている。このドアバネ４１の力により、カメラハウジングはその停止位置まで戻り、ドア４０はベースユニット３７と合わさるスナップ部の作用で所定の位置にしっかりと保持される。プラテンユニットがドッキングされた状態でエンドユーザがシート供給スキャンユニット部分をイメージ形成に用いている場合は、下部カメラ２４は、プラテンユニットの駆動モータの内部摩擦の力でベースユニット３７のストッパに向かって保持されている。
【００６６】
ユーザが照明用インバータの高電圧箇所にアクセスする危険性を防止するため、シート供給スキャンユニットのベースユニットにはインターロックスイッチが設けられている。このインターロックスイッチは、ベースユニットのドアに設けた機能、およびプラテンハウジングに設けた同じような機能により閉または開位置に保持される。ドアまたはプラテンユニットが所定の位置にあるときは何時も、電圧はランプに掛けられているが、ドアもプラテンユニットも所定の位置にない場合は、インターロックスイッチは開となるので、高電圧に触れる心配は起こらない。図２１には、インターロックスイッチを作動するタブ５６が示されている。このインターロックスイッチは、図示されていないが、ベースユニットに搭載されており、安全用インターロック用途に普通用いられている典型的なプランジャタイプである。
【００６７】
本発明では、形成されるペーパーパスが、非常に平坦な配置となっているので、鋭敏な曲がり部で生じる懸念が回避される。照明光源が駆動ローラの下から回り込んで出てくる空隙部を得るため、引っ込み手段を採用し、下部カメラがそのシート供給位置から移動して上流の駆動ローラの下に出るとき、照明光源の方も低くなることが可能なようにしている。プラテンユニットの透明アパーチャに到達する前に、照明光源はその正常高さに戻ってイメージ形成が行える。
【００６８】
本発明は、照明光源とＣＣＤ／レンズ付縮小撮像デバイスを備えるものに関して主に設計されているが、スキャナ業界で用いられている他の撮像デバイスアプローチにも適用可能である。このような撮像デバイスの一つとしては、コンタクトアレイイメージスキャナとして知られるものがある。図３２と３３は、旋回自在に装填されたコンタクトアレイ撮像デバイス５８をＬＥＤ照明光源とともに示す。これらのデバイスでは、ピクセルサイトは長いバーまたはスティック内に形成される。その幅は、スキャンすべき最も広いシートの全幅に位置的許容度を考慮した少量のマージンを加えた幅である。レンズ式縮小システムと対照的に、これらのピクセルの構成は、ペーパーイメージのピクセルに対する倍率は１：１あるいは１：１に極めて近くなるようにしている。これは一般に、ピクセルサイトをスキャンすべきペーパーに極めて近接して配置し、かつ、ある種のセルフフォーカスレンズエレメントを採用することによって達成される。
【００６９】
ＣＣＤレンズ縮小システムの場合と同じように、これらの撮像デバイスの場合も、照明光源が必要である。照明光源からの光が文書に当たり、文書から反射してピクセルサイトに当たって、イメージが形成される。多くの場合、これらコンタクトアレイエレメントの製造は、照明光源と、ピクセルサイトと、これらの制御回路とを１個の自己内蔵ユニットまたはスティックに纏めるようにして行われる。相異なる照明光源も採用されるが、これらのデバイスには蛍光（水銀またはキセノン）ランプまたはＬＥＤを用いるのが普通である。カラースキャンでは、ＬＥＤの構成として、個々にパルス発光する赤、緑、青のエレメントがあるようにすることができる。
【００７０】
本発明をコンタクトアレイデバイスに適用するには、以下の形で行われる。コンタクトアレイデバイスをピボット６４に取り付けるに際して、イメージ形成位置がシート供給スキャンユニットのペーパー平面の下または直下になるようにする。引込自在の照明光源とＣＣＤ撮像デバイスの場合と同じように、コンタクトアレイデバイスも、旋回自在に取り付け、上流の駆動ローラの下をアレイデバイスが引込まれて通過することが可能である。駆動ローラをクリアした後、コンタクトアレイデバイスはその最初の平面に戻り、プラテンユニットの透明窓要素の下に移動され、プラテンスキャン機能を果たすことができる。
【００７１】
【発明の効果】
本発明に係るシート供給スキャンとプラテンスキャンとを併用するコンビネーションスキャナによれば、ペーパーパスを実質的に平坦または直線的に配置することができる。
【図面の簡単な説明】
【図１】  引っ込み不可能の照明光源と少なくとも１個の鋭敏な曲がり部を有するペーパーパスを用いる従来技術のシート供給スキャンとプラテンスキャンとを併用するコンビネーションスキャナを示す図である。
【図２】  本発明に係る実施の形態におけるコンビネーションスキャナの斜視図で、シート供給スキャン部分に着脱自在のプラテンユニットがドッキングまたは装着されている様子を示す図である。
【図３】  本発明に係る実施の形態におけるコンビネーションスキャナにおいて、シート供給スキャンユニットと取り外された状態のプラテンユニットを示す斜視図である。
【図４】  本発明に係る実施の形態におけるコンビネーションスキャナにおいて、シート供給スキャンユニットと取り外された状態のプラテンユニットを示す斜視図である。
【図５】  本発明に係る実施の形態におけるコンビネーションスキャナの斜視図である。
【図６】  本発明に係る実施の形態におけるコンビネーションスキャナの側面断面図で、ペーパーパスと、光源と、カメラ位置と、給紙トレイと、排紙トレイとを示す図である。
【図７】  本発明に係る実施の形態におけるシート供給スキャンユニットのペーパーパスとシート駆動手段の詳細図である。
【図８】  本発明に係る実施の形態のシート供給スキャンユニットにおけるペーパー移送部の自動供給部分の詳細図である。
【図９】  本発明に係る実施の形態のシート供給スキャンユニットにおいて一部の部品を取除き、上部部分のペーパーパス部分を示す図である。
【図１０】  本発明に係る実施の形態のシート供給スキャンユニットにおいて一部の部品を取除き、上部部分のペーパーパス部分を示す図である。
【図１１】  本発明に係る実施の形態のシート供給スキャンユニットにおいて一部の部品を取除き、上部部分のペーパーパス部分と上部カメラを示す図である。
【図１２】  本発明に係る実施の形態における上部カメラと照明光源の光学系配置と主要エレメントの概略図である。
【図１３】  本発明に係る実施の形態のシート供給スキャンユニットにおいて一部の部品を取除き、ベースユニット内に位置している下部カメラを部分的に隠れた状態で示す斜視図である。
【図１４】  本発明に係る実施の形態における下部カメラの取り付け及び移動が行われる長短両案内ロッドを示す斜視図である。
【図１５】  本発明に係る実施の形態のシート供給スキャンユニットにおけるベースユニットに設けられる着脱自在ドアを示す斜視図である。
【図１６】  本発明に係る実施の形態のシート供給スキャンユニットにおけるベースユニットから着脱自在ドアを外す様子を示す斜視図である。
【図１７】  本発明に係る実施の形態のプラテンユニットにおいて、着脱自在ドアの収納の様子を示す斜視図である。
【図１８】  本発明に係る実施の形態のプラテンユニットにおいて、着脱自在ドアを収納した様子を示す斜視図である。
【図１９】  本発明に係る実施の形態におけるプラテンユニットを示す斜視図である。
【図２０】  本発明に係る実施の形態におけるプラテンユニットの主要コンポーネントを示す斜視図である。
【図２１】  本発明に係る実施の形態におけるプラテンユニットの主要コンポーネントを示す斜視図である。
【図２２】  本発明に係る実施の形態における長短両案内ロッドの結合部の詳細図である。
【図２３】  本発明に係る実施の形態における長短両案内ロッドの結合の様子を示す図である。下部カメラがこれらのロッドに沿ってどのように前後に動くかを示す図である。
【図２４】  本発明に係る実施の形態のコンビネーションスキャナにおいて、下部カメラが長短両案内ロッドこれらのロッドに沿ってどのように前後に動くかを示す図である。
【図２５】  本発明に係る実施の形態のプラテンユニットにおけるプラテンハウジングの切断図で、長い案内ロッドとサポートシェルフ機能を示す図である。
【図２６】  本発明に係る実施の形態における下部カメラアセンブリの底面図で、磁気カップリング領域の詳細を示す図である。
【図２７】  本発明に係る実施の形態のコンビネーションスキャナにおいて、引込自在アームとカム構造で行われる引込自在ランプの動作を示す図である。
【図２８】  本発明に係る実施の形態のコンビネーションスキャナにおいて、引込自在アームとカム構造で行われる引込自在ランプの動作を示す図である。
【図２９】  本発明に係る実施の形態のコンビネーションスキャナにおいて、引込自在アームとカム構造で行われる引込自在ランプの動作を示す図である。
【図３０】  本発明に係る実施の形態におけるカメラロック機能を示す図である。
【図３１】  本発明に係る実施の形態におけるカメラロック機能の詳細図である。
【図３２】  コンタクトアレイイメージ形成デバイスが引込自在の照明光源の代わりに用いられる別の実施の形態を示す図である。
【図３３】  コンタクトアレイイメージ形成デバイスが引込自在の照明光源の代わりに用いられる別の実施の形態を示す図である。
【符号の説明】
１  シート供給スキャンユニット、２  プラテンユニット、３  給紙トレイ、４  排紙トレイ、５  オートフィーダメカニズム、６  圧力ローラ、７  前分離パッド、８  分離ローラ、９  供給ローラ、１０  引込ローラ、１１  上部部分のペーパーパス、１２  下部部分のペーパーパス、１３  駆動ローラ、１４  アイドルローラ、１５，４４  タイミングベルト、１６，４３  駆動モータ、１７，１８  ガラス窓、１９  アイドルローラ板バネ、２１  上部ランプ、２２  下部ランプ、２３  上部カメラ、２４  下部カメラ、２５  ＣＣＤ撮像デバイス、２６  レンズ、２７  反射ミラー、２８  カメラハウジング、２９  ブッシュ、３１  引込アーム、３３  ストッパ、３４  インバータ、３５  短いロッド、３６  長いロッド、３７  ベースユニット、３８  ベースユニット支持棚板、３９支持棚板基準板、４０  ドア、４１  ドアバネ、４２  プラテンハウジング、４５  磁気カップリング、４６  突出部材、４７  カメラ当たり板、４８  透明窓、４９  蓋、５１  電気コネクション、５２  ラッチフック、５５  カメラロック、５６  インターロック用タブ、５８  コンタクトアレイ撮像デバイス、５９  支持フレーム、６０  ラッチ解除レバー、６２  ペーパーパス、６４  ピボット。
【図１】
0004035078.tif 000002
【図２】
0004035078.tif 000003
【図３】
0004035078.tif 000004
【図４】
0004035078.tif 000005
【図５】
0004035078.tif 000006
【図６】
0004035078.tif 000007
【図７】
0004035078.tif 000008
【図８】
0004035078.tif 000009
【図９】
0004035078.tif 000010
【図１０】
0004035078.tif 000011
【図１１】
0004035078.tif 000012
【図１２】
0004035078.tif 000013
【図１３】
0004035078.tif 000014
【図１４】
0004035078.tif 000015
【図１５】
0004035078.tif 000016
【図１６】
0004035078.tif 000017
【図１７】
0004035078.tif 000018
【図１８】
0004035078.tif 000019
【図１９】
0004035078.tif 000020
【図２０】
0004035078.tif 000021
【図２１】
0004035078.tif 000022
【図２２】
0004035078.tif 000023
【図２３】
0004035078.tif 000024
【図２４】
0004035078.tif 000025
【図２５】
0004035078.tif 000026
【図２６】
0004035078.tif 000027
【図２７】
0004035078.tif 000028
【図２８】
0004035078.tif 000029
【図２９】
0004035078.tif 000030
【図３０】
0004035078.tif 000031
【図３１】
0004035078.tif 000032
【図３２】
0004035078.tif 000033
【図３３】
0004035078.tif 000034